(57)【特許請求の範囲】
【請求項１】
擬似的にパトランプの態様で発光する発光装置であって、
基板と、
前記基板上に円弧状に配置された複数の光源と、
前記複数の光源を覆うように設けられた透光性部材とを備え、
前記透光性部材が、各光源を区画する複数の多面体を有し、
各多面体が一体的かつ底面が開放されて形成され、
前記複数の多面体のうち少なくとも１つが、前記光源が発する光が正面に向けて放出されるように、正面に向かって傾斜する少なくとも１つの傾斜面を有し、前記傾斜面が、その外側及び内側の面の少なくとも一方において、前記光源が発した光を反射するための処理を施されることを特徴とする発光装置。
【請求項２】
各多面体が、
各光源が位置する内側と外側とを区画する外側区画壁と、
各光源が位置する内側と前記基板の中央側とを区画する内側区画壁と、
隣接する各光源を区画する横側区画壁と、
前記３つの区画壁のそれぞれの上端を覆い、及び／又は前記内側区画壁と一体的に前記他の２つの区画壁のそれぞれの上端を覆う天井壁とを有し、
前記天井壁が正面に向かって傾斜し、その外側及び内側の面の少なくとも一方において、前記光源が発する光を反射するための処理を施されることを特徴とする請求項１に記載の発光装置。
【請求項３】
前記外側区画壁が、その外側及び内側の面の少なくとも一方において、前記光源が発する光を反射するための処理を施されることを特徴とする請求項２に記載の発光装置。
【発明の詳細な説明】
【技術分野】
【０００１】
本発明は、発光装置及びそれを備える遊技機に係り、特に、擬似的にパトランプの態様で発光する発光装置及びそれを備える遊技機に関する。
【背景技術】
【０００２】
たとえばパチンコ遊技機は、その遊技盤上に各種の発光装置が備えられている。この発光装置は、遊技盤上に発射されたパチンコ球がたとえば所定の始動口に入球されると点滅等がなされ、注意を喚起させるとともに、遊技者の興を向上させるようになっている。
【０００３】
そして、このような発光装置の中には、たとえば下記特許文献１及び特許文献２に、いわゆるパトランプの如く発光態様を呈する発光装置が開示され、他の種類の発光装置よりも一層の興趣を盛り上げることができるものが知られている。
【０００４】
特許文献１には、円筒状の支持体に、その周方向に並設された複数の仕切り板が設けられているともに、これら仕切り板の間に光源を配置させた発光装置が開示されている。また、特許文献２には、基板上に、中心軸を中心にほぼ放射状に立設される反射板（隔壁板）と、これら反射板の上端において互いに隣接される隔壁板との間に設けられる反射板（天井板）とが備えられ、前記隔壁板の間の前記基板上に光源を配置させた発光装置が開示されている。
【０００５】
このように構成された発光装置は、たとえば、並設される複数の光源の一端側から他端側に、さらに一端側へ戻るように、各光源を、順次、点灯及び消灯を繰り返すことによって、あたかも、一個の光源が円を描いて走行しているように目視でき、いわゆるパトランプの如く発光態様を呈するになる。
【０００６】
しかしながら、特許文献１及び特許文献２に開示される発光装置は、いずれも、順次点灯消灯される複数の光源の間に前記仕切り板あるいは隔壁板を配置させ、光源からの光のほぼ大部分を前記仕切り板あるいは前記反射板によって発光装置の外方に導き放出させるように構成したものである。
【０００７】
このため、遊技者にとって、前記発光装置の各光源からの光は、予め設定された広がり角度で、しかも予め設定された明るさで放出されるように目視されるにすぎないものとなっている。それ故、近年、たとえパトランプの如く発光態様を呈する発光装置であっても、各光源からたとえば幻想感をもたらすような複雑な光の放出がなされることが要望されるに至った。
【先行技術文献】
【特許文献】
【０００８】
【特許文献１】特開２００７−１６５０５７号公報
【特許文献２】特開２００８−２９５５６６号公報
【発明の概要】
【発明が解決しようとする課題】
【０００９】
本発明はこのような事情に鑑みてなされたものであり、その目的は、パトランプの如く発光態様を呈するものであって、より趣興を増大させるような光を放出できる発光装置及びそれを備える遊技機を提供することにある。
【課題を解決するための手段】
【００１０】
本発明の発光装置及びそれを備える遊技機は、以下の構成によって把握される。
（１）本発明に係る第１の観点は、擬似的にパトランプの態様で発光する発光装置であって、基板と、基板上に円弧状に配置された複数の光源と、複数の光源を覆うように設けられた透明性部材とを備え、透光性部材が、各光源を区画する複数の多面体を有し、各多面体が一体的かつ底面が開放されて形成され、複数の多面体のうち少なくとも１つが、光源が発する光が正面に向けて放出されるように、正面に向かって傾斜する少なくとも１つの傾斜面を有し、傾斜面が、その外側及び内側の面の少なくとも一方において、光源が発した光を反射するための処理を施されることを特徴とする。
【００１１】
（２）上記（１）において、各多面体が、各光源が位置する内側と外側とを区画する外側区画壁と、各光源が位置する内側と基板の中央側とを区画する内側区画壁と、隣接する各光源を区画する横側区画壁と、これら３つの区画壁のそれぞれの上端を覆い、及び／又は内側区画壁と一体的に他の２つの区画壁のそれぞれの上端を覆う天井壁とを有し、天井壁が正面に向かって傾斜し、その外側及び内側の面の少なくとも一方において、光源が発する光を反射するための処理を施されることができる。
【００１２】
（３）上記（２）において、外側区画壁が、その外側及び内側の面の少なくとも一方において、光源が発する光を反射するための処理を施されることができる。
【発明の効果】
【００１５】
本発明によれば、パトランプの如く発光態様を呈するものであって、より趣興を増大させるような光を放出できる発光装置及びそれを備える遊技機を提供することができる。
【図面の簡単な説明】
【００１６】
【図１】本発明の遊技機の遊技盤の概略を示す正面図である。
【図２】本発明の遊技機に備えられる発光装置の斜視図、上面図、正面図及び側面図である。
【図３】前記発光装置に具備される透光性部材の実施形態１の構成を示す斜視図及び断面図である。
【図４】透光性部材と発光ダイオードとの位置関係を示す図である。
【図５】透光性部材によって形成される発光ダイオードからの光の光路を示す図である。
【図６】透光性部材の他の実施形態を示す断面図である。
【図７】透光性部材の他の実施形態を示す断面図である。
【図８】前記発光装置に具備される透光性部材の実施形態２の構成を示す斜視図である。
【図９】図８に示す透光性部材の上面図、正面図、側面図及び断面図である。
【図１０】図８に示す透光性部材を分割して示した斜視図である。
【図１１】前記発光装置に具備される透光性部材の実施形態３の構成を示す斜視図である。
【図１２】図１１に示す透光性部材の上面図、正面頭及び側面図である。
【発明を実施するための形態】
【００１７】
以下、添付図面を参照して、本発明を実施するための形態（以下、実施形態）について詳細に説明する。なお、実施形態の説明の全体を通して同じ要素には同じ番号を付している。
【００１８】
（実施形態１）
＜遊技機の概略構成＞
図１は、本発明の遊技機の実施形態を示す概略図であって、パチンコ遊技機の機枠に組み込まれる遊技盤１０を示した平面図である。
【００１９】
図１において、遊技盤１０の周辺の若干の領域を除く中央部は遊技領域１１となっている。遊技領域１１はほぼ円形のガイドレール１２に囲まれるように構成され、このガイドレール１２は、図中下側から左肩側にかけて外側レール１２Ａと内側レール１２Ｂを備え、パチンコ球を外側レール１２Ａと内側レール１２Ｂの間の通路を通して遊技領域１１の上方へ導くようになっている。パチンコ球は、図示しない機枠に取り付けられた操作レバーによって駆動される打槌機構によって、図中下側から外側レール１２Ａと内側レール１２Ｂの間の通路に発射されるようになっている。なお、遊技領域１１の上方から落下するパチンコ球は、後述する入賞口、始動口等に入賞したものを除いて、遊技領域１１の最下端位置に設けられたアウト口１３を通して回収されるようになっている。
【００２０】
遊技盤１０の遊技領域１１のほぼ中央であって若干上側に偏位した位置に矩形状の開口１４が形成されている。遊技盤１０の裏面にはたとえば液晶表示器からなる画像表示装置１５が配置され、この画像表示装置１５の表示面１５Ａは前記開口１４を通して目視できるようになっている。画像表示装置１５は、たとえば、パチンコ遊技の最中においてインフォメーションを表示し、あるいは入賞の際にその興奮を盛り上げさせるような工夫がされた画像を表示するようになっている。
【００２１】
遊技領域１１の表示面１５Ａのたとえば右肩部には、発光装置２０が配置されている。この発光装置２０が配置される領域及びその近傍は、遊技領域１１を落下転動するパチンコ球が導かれることが無いようになっており（たとえば、上方に板状の突起物を設ける等することによって）、したがって、パチンコ球が発光装置２０に衝突してしまうのを回避できるようになっている。この発光装置２０は、その構成を後に詳述するが、複数の発光ダイオードを内蔵し、いわゆるパトランプの如く発光態様で光が照射されるように構成されている。そして、発光装置２０は、たとえば画像表示装置１５の表示内容に合わせて発光させることによって、該発光装置１５を遊技の演出を向上させる手段として用いることができるようになっている。また、発光装置１５は、たとえば入賞によって遊技者に有利となる特別遊技状態（大当り遊技状態）等が付与された場合に、上述のような発光態様によって、遊技者にその旨を告知し、遊技者の期待を高めることができるようになっている。
【００２２】
遊技領域１１の画像表示装置１５の下部には、たとえば、表示面１５Ａ（開口１４）の下辺に沿い遊技者側に若干突出するステージ１６が設けられている。このステージ１６の上面はたとえば波状の湾曲面となっており、その水平方向における中央部の下部には排出口１７が設けられている。パチンコ球は、表示面１５Ａ（開口１４）のたとえば左肩近傍からステージ１６に連結されるワープルート（図示せず）を通して該ステージ１６の上面に至った場合、パチンコ球はステージ１６の円弧面上を揺動しながら排出口１７に落下できるようになっている。
【００２３】
また、遊技領域１１の前記排出口１７の下部には、始動口１８が設けられており、この始動口１８の下方には大入賞口１９が設けられている。始動口１８にパチンコ球が入賞した際に、画像表示装置１５の画面上に表示されている特別図柄の変動が所定時間行われるようになっており、画像表示装置１５に複数の特別図柄が特定の停止表示態様で停止表示すると、大当たり遊技状態として、大入賞口扉１９Ａが予め定められた作動条件に従って開閉するようになっている。
【００２４】
なお、遊技領域１１には、上述した始動口１８等の部材の他に、複数の障害釘、風車等が散在されて設けられ、これら障害釘、風車等に当たったパチンコ球は、その当たり方に応じた方向に落下できるようになっている。
【００２５】
＜発光装置の概略構成＞
図２（ａ）は、前記発光装置２０を示した斜視図である。図２（ａ）において、前記遊戯盤１０は、その表面が図中ｙｚ面に一致づけられるように、配置されるようになっている。図中ｘ方向は遊技機の奥行き方向であって遊技者が通常の姿態（遊技を行っている状態の姿態）で発光装置２０を目視できる方向となっている。また、図２（ｂ）は発光装置２０の上面図、図２（ｃ）は発光装置２０の正面図、図２（ｄ）は発光装置２０の側面図を示している。
【００２６】
発光装置２０は、複数の光源からなる光源群を被って配置される透明材料からなる透光性部材を備え、この透光性部材は、前記光源群のそれぞれの光源を区画する区画壁を有するように構成したものである。以下に、順次、説明する。
【００２７】
発光装置２０は、それに内蔵される後述の発光ダイオードを除き、たとえば成形樹脂によって構成されている。
【００２８】
発光装置２０は、まず、図示しない遊技盤１０に対して垂直（ｘｙ面）に配置される第１基板２１Ａと、この第１基板２１Ａと一体に形成され遊技盤１０に対して平行（ｙｚ面）に配置される第２基板２１Ｂとからなる基板２１を有している。第２基板２１Ｂの外側面（第１基板２１Ａが取り付けられた側と反対の面）には複数の突起部２２が形成されている。遊技盤１０には突起部２２に対応する位置に孔（図示せず）が設けられ、突起部２２は遊技盤１０の当該対向する孔に挿入される等して、発光装置２０の遊技盤１０への取り付けがなされるようになっている。
【００２９】
第１基板２１Ａの上面のほぼ中央には透明材料からなる透光性部材３０が配置されている。この透光性部材３０は、柱状の部材からなり、上面から観た場合に正六角形をなし、正面あるいは側面から観た場合にほぼ矩形をなしている。また、この透光性部材３０は、後に詳述するが、円周方向に沿って複数（この実施形態では６個）の区画壁（図３にて符号３２ａ、３２ｂ、３２ｃ、３２ｄ、３２ｅ、３２ｆで示す）を備え、これら各区画壁に連結して配置され傾斜を有する天井壁（図３にて符号３４ａ、３４ｂ、３４ｃ、３４ｄ、３４ｅ、３４ｆで示す）を備えるようになっている。そして、図２では図示されていないが、第１基板２１Ａの上面には発光ダイオードがたとえば４個（図４にて符号４０ａ、４０ｂ、４０ｅ、４０ｆで示す）搭載されており、これら各発光ダイオードは、透光性部材３０の各区画壁のうち正面側（遊技者側）に隣接して配置される４個の区画壁の裏側に配置されている。各発光ダイオードに接続される配線はたとえば第２基板２１Ｂに形成された孔２３を通して遊技盤１０の裏面側に引き出されるようになっている。これら各発光ダイオードは遊技盤１０の裏面側に配置された電子制御基板（図示せず）に電気的に接続されるようになっている。これら発光ダイオードについても後に詳述する。
【００３０】
このような透光性部材３０が配置された第１基板２１Ａの遊技者側へ突出される先端辺は半円形状となるように形成されている。この半円形状は、その中心軸が透光性部材３０の中心軸とほぼ同軸となるように形成されている。第１基板１２Ａの上面には、透光性部材３０の一部（正面側）を被って透光性カバー２４が配置されている。この透光性カバー２４は、その底面が第１基板２１Ａの周辺上に載置できる形状となっている。すなわち、透光性カバー２４の底面は、第１基板２１Ａの先端辺の半円形状に沿った形状をなすとともに、その半円形の各両端から第１基板２１Ａの奥行き方向と平行となる各側端辺に沿った直線形状をなして構成されている。そして、透光性カバー２４は、第１基板２１Ａの先端辺側において、各側端辺側よりも高さが大きく形成され、かつ天面を有するように形成されている。
【００３１】
このように構成された透光性カバー２４は、図２（ｃ）に示すように、正面から見た場合にたとえばカップのような容器を逆さにした形状をなし、この容器が透光性部材３０を被って配置されているように認識できるようになる。このため、遊技者は透光性カバー２４を通して透光性部材３０を目視することになる。ここで、透光性カバー２４は、無色透明であってもよく、また、大部分の領域において透光性を確保できるかぎり種々の色あるいは色彩を付し、興趣を向上させるようにしてもよい。
【００３２】
＜透光性部材＞
図３（ａ）は、前記透光性部材３０を示した斜視図である。図３（ａ）において、ｘｙｚ軸方向は、図２（ａ）ないし（ｄ）に示したｘｙｚ軸方向と一致づけて示している。このため、図中ｘ方向は遊技機の奥行き方向であって遊技者が通常の姿態（遊技を行っている状態の姿態）で前記透光性カバー２４を通して光反射部材を目視できる方向となっている。また、図３（ｂ）は図３（ａ）のｂ−ｂ線における断面図、図３（ｃ）は図３（ｂ）のｃ−ｃ線における断面図である。
【００３３】
図３において、透光性部材３０は、概略、柱状をなし、その中心軸の周りに貫通孔を有する筒状となっている。透光性部材３０は、その中心軸を図中ｚ軸方向に位置づけられて第１基板２１Ａ上に配置されるようになっている。透光性部材３０は、上面から観た場合、たとえば正六角形の外輪郭及び内輪郭を有するようになっている。外輪郭は透光性部材３０の外周面の輪郭に相当し、内輪郭は前記貫通孔３１の外周面の輪郭に相当するようになっている。これら外輪郭及び内輪郭は同心状に配置され、それぞれの角部は、中心軸から周回りに等角度（６０°）で配置される６つの各放射線上に位置づけられるようになっている。
【００３４】
これにより、透光性部材３０の外周面は、６個の板状の区画壁３２（３２ａ、３２ｂ、３２ｃ、３２ｄ、３２ｅ、３２ｆ）によって構成され、透光性部材３０の内周面は、６個の板状の区画壁３３（３３ａ、３３ｂ、３３ｃ、３３ｄ、３３ｅ、３３ｆ）によって構成されるようになっている。ここで、区画壁３３ａは区画壁３２ａに対向する位置関係にあり、区画壁３３ｂと区画壁３２ｂ、区画壁３３ｃと区画壁３２ｃ、区画壁３３ｄと区画壁３２ｄ、区画壁３３ｅと区画壁３２ｅ、区画壁３３ｆと区画壁３２ｆにおいても同様となっている。そして、遊技者側から観た場合、透光性部材３０は、区画壁３２ａ、３２ｆがそれぞれ前方に位置づけられるように第１基板２１Ａに配置されるようになっている。
【００３５】
そして、透光性部材３０の外周面を構成する区画壁３２ａ、３２ｂ、３２ｃ、３２ｄ、３２ｅ、３２ｆの下端（第１基板２１Ａ側の端部）は、内周面を構成する区画壁３３ａ、３３ｂ、３３ｃ、３３ｄ、３３ｅ、３３ｆの下端（第１基板２１Ａ側の端部）と同一平面上に位置づけられている。これに対し、前記区画壁３３ａ、３３ｂ、３３ｃ、３３ｄ、３３ｅ、３３ｆの上端（第１基板２１Ａと反対側の端部）は、前記区画壁３２ａ、３２ｂ、３２ｃ、３２ｄ、３２ｅ、３２ｆの上端（第１基板２１Ａと反対側の端部）よりも低く（第１基板２１Ａを基準にして）形成されている。
【００３６】
また、区画壁３２ａ、３２ｂ、３２ｃ、３２ｄ、３２ｅ、３２ｆの上端と区画壁３３ａ、３３ｂ、３３ｃ、３３ｄ、３３ｅ、３３ｆの上端の間には天井壁３４が形成されている。すなわち、区画壁３２ａと区画壁３３ａの間には天井壁３４ａが形成され、区画壁３２ｂと区画壁３３ｂの間には天井壁３４ｂが形成され、区画壁３２ｃと区画壁３３ｃの間には天井壁３４ｃが形成され、区画壁３２ｄと区画壁３３ｄの間には天井壁３４ｄが形成され、区画壁３２ｅと区画壁３３ｅの間には天井壁３４ｅが形成され、区画壁３２ｆと区画壁３３ｆの間には天井壁３４ｆが形成されている。そして、これら各天井壁３４ａ、３４ｂ、３４ｃ、３４ｄ、３４ｅ、３４ｆは、それぞれ、隣接する他の天井壁３４と互いに連結されて形成されている。これにより、各天井壁３４ａ、３４ｂ、３４ｃ、３４ｄ、３４ｅ、３４ｆは、透光性部材３０の外周面側からこの外周面よりも高さの低い内周面側にかけて、傾斜を有して配置されることになる。
【００３７】
ここで、図４は、第１基板２１Ａに搭載された複数の発光ダイオード４０と、第１基板２１Ａ上に配置される透光性部材３０との位置関係を示した構成図である。図４に示す透光性部材３０は図３（ｃ）に示した透光性部材３０に対応づけて描いている。第１基板２１Ａ上にはたとえば４個の発光ダイオード４０（４０ａ、４０ｂ、４０ｅ、４０ｆ）が搭載されている。これら発光ダイオード４０ａ、４０ｂ、４０ｅ、４０ｆは、いずれも、その上面からの光が第１基板２１Ａに対して垂直方向へ照射されるように搭載されている。これら各発光ダイオード４０は、透光性部材３０の各天井壁３４のうち天井壁３４ａ、３４ｆの直下にそれぞれ発光ダイオード４０ａ、４０ｆが配分され、これら天井壁３４ａ、３４ｆに対してそれぞれ奥側に隣接する天井壁３４ｂ、３４ｅの直下にそれぞれ発光ダイオード４０ｂ、４０ｅが配分されて配置されている。このことから、発光ダイオード４０ａ、４０ｂ、４０ｅ、４０ｆのそれぞれは、光反射部材３０の中心軸を中心とする円弧状に配置され、この円弧の凸部は遊技者側に指向するようになっている。
【００３８】
このように構成される透光性部材３０は、各天井壁３４のうち少なくとも一部に光反射処理がされている。たとえば、この実施形態では、光反射処理は天井壁３４ａ、３４ｂ、３４ｅ、３４ｆにおいてなされている。図５は、反射面として構成される天井壁３４と発光ダイオード４０からの光の関係を示した図である。図５に示した透光性部材３０は図３（ｂ）に示した透光性部材３０と対応づけて描画している。図５において、天井壁３４のたとえば発光ダイオード４０ｂと対向する面（裏面）には光反射処理された光反射膜３５が形成されている。発光ダイオード４０ｂは、その大部分の照射光が第１基板２１Ａに対して垂直方向へ照射されるように搭載されていることから、天井壁３４ｂの光反射膜３５によって反射されて透光性部材３０の外方へ照射されるようになる（図中光路Ａで示す）。この場合、発光ダイオード４０ｂからの光のうち、たとえば図中光路Ｂに示すように、区画壁３２ｂへの入射角度によって該区画壁３２ｂで反射され、さらには、光反射膜３５に再び反射され、発光ダイオード４０ｂの近傍を明るく照らしたり、さらにその明るさに広がりをもたせる効果を奏するようになる。このような現象は他の発光ダイオード４０ａ、４０ｅ、４０ｆの場合においても同様であり、また、隣接する発光ダイオード４０同士でも光の交錯がなされることによって、複雑な光路を形成することができるようになる。なお、透光性部材３０への光反射処理は、たとえば、金属メッキを施す方法、光反射性塗料の塗布又は印刷、光反射性シートの貼付等が挙げられ、これらの方法を用いて前記光反射膜３５を形成することができる。
【００３９】
なお、この実施形態では、天井壁３４ｃ、３４ｄにおいて光反射処理がなされていないようになっている。天井壁３４ｃ、３４ｄは、その直下に発光ダイオード４０が配置されておらず、光反射機能を持たせる必要がないからである。しかし、天井壁３４ｃ、３４ｄに反射処理がなされていてもよいことはもちろんである。また、この実施形態では、区画壁３２においても、たとえば、透光性部材３０の外周面を構成する区画壁３２ｃ、３２ｄに光反射処理がなされている。このようにした場合、各発光ダイオード４０からの光のうち、一部が、区画壁３２ｃ、３２ｄによって反射され、遊技者側に照射されるようになるからである。これにより、遊技者が目視できる各発光ダイオード４０の光量を増大させる効果を奏するようにできる。なお、上述の説明において、透光性部材３０の光反射処理を行う個所は、単に一例を示したにすぎない。透光性部材３０において、透光領域と光反射領域とを適宜変更することによって、遊技者が目視できる光量の配分を変更でき、これにより幻想的な光の照射を期待でき、遊技者の趣興を増大させることができるからである。
【００４０】
このように構成された透光性部材３０は、発光ダイオード４０からの光が、天井壁３２に反射される他に、近接して配置される区画壁３２、３３を透過して、透光性部材３０の外方へ照射されるようになる。この際、各発光ダイオード４０からの光は、隣接する他の発光ダイオード４０の配置領域にまで至るようになる。そして、各発光ダイオード４０に近接して配置される区画壁３２、３３は、それぞれ角度を異ならしめて配置されていることから、発光ダイオード４０からの光の一部は、区画壁３２、３３に反射（たとえば全反射等）されたりして複雑な光路を形成するようになる。
【００４１】
したがって、遊技者は、発光ダイオード４０のそれぞれの近傍をより明るく目視でき、しかも、各発光ダイオード４０を中心とした光の広がりを感知でき、たとえば幻想的な照明感を感得することができる。このため、パトランプの如く発光態様を呈するものにあって、より趣興を増大させるような光を放出できる発光装置を実現させることができる。
【００４２】
上述した実施形態では、それぞれの発光ダイオード（発光ダイオード群）４０は、透光性部材３０の外周面を構成する区画壁３２ａ、３２ｂ、３２ｃ、３２ｄ、３２ｅ、３２ｆ、及び内周面を構成する区画壁３３ａ、３３ｂ、３３ｃ、３３ｄ、３３ｅ、３３ｆに囲まれるように配置されたものとなっている。しかし、透光性部材３０は、前記区画壁３２、３３の他に、隣接して配置される発光ダイオード４０の間を区画する区画壁３６を設けるように構成してもよい。
【００４３】
図６は、このような構成の透光性部材３０の断面図であり、図３（ｃ）、に対応させて描いた図となっている。図６から明らかとなるように、透光性部材３０には、新たに、区画壁３６ａｂ、３６ｂｃ、３６ｃｄ、３６ｄｅ、３６ｅｆ、３６ｆａが形成されたものとなっている。区画壁３６ａｂは、区画壁３２ａと区画壁３２ｂの境界部と区画壁３３ａと区画壁３３ｂの境界部を連結する区画壁として構成され、区画壁３６ｂｃは、区画壁３２ｂと区画壁３２ｃの境界部と区画壁３３ｂと区画壁３３ｃの境界部を連結する区画壁として構成され、区画壁３６ｃｄは、区画壁３２ｃと区画壁３２ｄの境界部と区画壁３３ｃと区画壁３３ｄの境界部を連結する区画壁として構成され、区画壁３６ｄｅは、区画壁３２ｄと区画壁３２ｅの境界部と区画壁３３ｄと区画壁３３ｅの境界部を連結する区画壁として構成され、区画壁３６ｅｆは、区画壁３２ｅと区画壁３２ｆの境界部と区画壁３３ｅと区画壁３３ｆの境界部を連結する区画壁として構成され、区画壁３６ｆａは、区画壁３２ｆと区画壁３２ａの境界部と区画壁３３ｆと区画壁３３ａの境界部を連結する区画壁として構成されている。そして、これら区画壁３６ａｂ、３６ｂｃ、３６ｃｄ、３６ｄｅ、３６ｅｆ、３６ｆａは、その上端が天井壁３４に連結され、下端は透光性部材３０の底面と面一となっている。このように構成された透光性部材３０は、発光ダイオード群からなる各発光ダイオード４０のそれぞれを区画壁３６によって区画するように構成することができるようになる。
【００４４】
このように透光性部材３０を構成した場合、隣接する各発光ダイオード４０の間にも区画壁３６が設けられるようになり、各発光ダイオード４０からの光は、該区画壁３６を通して隣接する他の発光ダイオード４０の配置領域にまで至るとともに、その一部は該区画壁３６に反射（たとえば全反射等）されるようになる。この場合、前記区画壁３６は、発光ダイオード４０が搭載された基板（第１基板２Ａ）に対して立設して設けられているため、発光ダイオード４０から区画壁３６への光の入射角は比較的小さく、これにより、発光ダイオード４０の光は区画壁３６によって反射され易い状態となっている。このため、図３に示した透光性部材３０よりも、さらに複雑な光路を形成することができる。特に、区画壁３６は、発光ダイオード４０の数に応じて多数設けられることから、各発光ダイオード４０からの光は、隣接する発光ダイオード４０の配置領域はもちろんのこと、さらに隣接する発光ダイオード４０の配置領域にまで至る光も存在するようなる。このため、通過する各区画壁３６においてそれぞれ反射光が発生することから、極めて複雑な光路を形成することになる。したがって、遊技者は、各発光ダイオード４０の近傍をよりさらに明るく目視でき、しかも、各発光ダイオード４０を中心とした光のさらなる広がりを感知でき、より幻想的な照明感を感得することができるようになる。
【００４５】
また、上述した実施形態では、透光性部材３０には、内側面を構成する区画壁３３ａ、３３ｂ、３３ｃ、３３ｄ、３３ｅ、３３ｆを備えたものとして構成されたものである。しかし、この区画壁３３ａ、３３ｂ、３３ｃ、３３ｄ、３３ｅ、３３ｆは、必要に応じて、省いて構成するようにしてもよい。図７（ａ）、（ｂ）は、それぞれ、このような構成の透光性部材３０の断面図で、それぞれ、図３（ｂ）、（ｃ）に対応させて描いた図となっている。図７（ａ）、（ｂ）に示すように、透光性部材３０の各天井壁３４ａ、３４ｂ、３４ｃ、３４ｄ、３４ｅ、３４ｆは、透光性部材３０の中心軸側へ延在され、その延在端が透光性部材３０の底面にまで及ぶようになって形成されている。このため、透光性部材３０には、内側面を構成する区画壁３３ａ、３３ｂ、３３ｃ、３３ｄ、３３ｅ、３３ｆがないものとして構成することができる。そして、この実施形態の場合、各天井壁３４ａ、３４ｂ、３４ｃ、３４ｄ、３４ｅ、３４ｆは、複数の発光ダイオード４０を囲むようにして形成される区画壁としても機能するようになる。この場合においても、透光性部材３０は、図３に示した透光性部材３０と同様の効果を奏することができる。また、透光性部材３０をこのように構成する場合において、図６に示したように、隣接して配置される発光ダイオード４０の間を区画する区画壁３６を設けるようにしてもよいことはいうまでもない。
【００４６】
さらに、上述した実施形態では、天井壁３４ａ、３４ｂ、３４ｃ、３４ｄ、３４ｅ、３４ｆは、それぞれ、平板状のものとして構成したものであ。しかし、これに限ることはなく、第１基板の側に対向する面において凸面あるいは凹面を有するような湾曲板として構成するようにしてもよい。反射板として同様の効果を奏することができるからである。
【００４７】
（実施形態２）
図８は、本発明の遊技機の実施形態２の発光装置に用いられる透光性部材３０’を示す斜視図である。また、図９（ａ）は透光性部材の上面図、図９（ｂ）は透光性部材の正面図、図９（ｃ）は図９（ａ）の図中右側から観た側面図、図９（ｄ）は図９（ａ）のｄ−ｄ線における断面図、図９（ｅ）は図９（ａ）のｅ−ｅ線における断面図である。
【００４８】
透光性部材３０’は、実施形態１に示した透光性部材３０と同様に、正六角形をなす筒状体からなり、外側面を構成する区画壁３２ａ、３２ｂ、３２ｃ、３２ｄ、３２ｅ、３２ｆ、内側面を構成する区画壁３３ａ、３３ｂ、３３ｃ、３３ｄ、３３ｅ、３３ｆ、さらに、天井壁３４ａ、３４ｂ、３４ｃ、３４ｄ、３４ｅ、３４ｆを備えて構成されている。
【００４９】
そして、透光性部材３０’は、区画壁３２ａが図中ｘ方向（遊技者の方向）へ指向するように、第１基板２１Ａに配置されるようになっている。この場合、天井壁３４ｃ、３４ｄ、３４ｅは、それぞれ、透光性部材３０’の内側面から外側面にかけて低くなるような斜面を有するように配置されている。これに対し、天井壁３４ｂ、３４ａ、３４ｆは、それぞれ、透光性部材３０’の外側面から内側面にかけて低くなるような斜面を有するように配置されている。そして、天井壁３４ｃ、３４ｄ、３４ｅ、３４ａ、３４ｂ、３４ｆは、いずれも傾き角度が等しくなって配置されるようになっている。このことから、透光性部材３０’の内側面を構成する区画壁３３ｃ、３３ｄ、３３ｅの高さは高く、外側面を構成する区画壁３２ｂ、３２ａ、３２ｆの高さとほぼ同じに形成されている。同様に、透光性部材の外側面を構成する区画壁３２ｃ、３２ｄ、３２ｅの高さは低く、内側面を構成する区画壁３３ｂ、３３ａ、３３ｆの高さとほぼ同じに形成されている。
【００５０】
図１０は、図８に示した透光性部材３０’を、観念上、分割透光性部材３０Ａ’と分割透光性部材３０Ｂ’とに分割して示した斜視図である。分割透光性部材３０Ａ’は遊技者側に配置され、分割透光性部材３０Ｂ’は、分割透光性部材３０Ａ’に当接されて分割透光性部材３０Ａ’の背後に配置されるようになっている。この図１０から、分割透光性部材３０Ａ’の各天井壁３４ｂ、３４ａ、３４ｆは、透光性部材３０’の内側面側に向かって高さが低くなるように傾斜され、分割透光性部材３０Ｂ’の各天井壁３４ｃ、３４ｄ、３４ｅは、透光性部材３０’の外側面側に向かって高さが低くなるように傾斜されていることが明らかとなる。
【００５１】
なお、図１０に示した透光性部材３０’は、たとえば、図６に示した透光性部材３０と同様に、各発光ダイオード４０を画する区画壁３６を備えて構成したものであり、分割透光性部材３０Ａ’、分割透光性部材３０Ｂ’は、この区画壁３６ｂｃ、３６ｅｆの形成部分で分割されていることを示している。
【００５２】
ここで、図１０では、透光性部材３０’を、観念的に分割透光性部材３０Ａ’と分割透光性部材３０Ｂ’に分けて説明したが、たとえば樹脂材の成形のやり易さ等の理由から、実際に、分割透光性部材３０Ａ’と分割透光性部材３０Ｂ’を別個に形成し、これらを組み合わせた透光性部材３０’として用いてもよいことはもちろんである。
【００５３】
（実施形態３）
図１１（ａ）は、本発明の遊技機の実施形態３の発光装置に用いられる透光性部材３０”を示す斜視図である。また、図１１（ｂ）は図１１（ａ）のｂ−ｂ線における断面図を示している。また、図１２（ａ）は透光性部材３０”の上面図、図１２（ｂ）は透光性部材３０”の正面図、図１２（ｃ）は透光性部材３０”の側面図を示している。なお、図１１（ａ）及び（ｂ）、図１２（ａ）ないし（ｃ）において、図中ｘｙｚ軸方向は、図２（ａ）ないし（ｄ）に示したｘｙｚ軸方向と一致づけて示している。このため、図中ｘ方向は遊技機の奥行き方向であって遊技者が通常の姿態（遊技を行っている状態の姿態）で前記透光性カバー２４を通して透光性部材３０”を目視できる方向となっている。また、図１０（ａ）及び（ｂ）、図１１（ａ）ないし（ｃ）には、第１基板２１Ａに搭載される発光ダイオード４０も併せ描画している。
【００５４】
この実施形態の場合にあっても、透光性部材３０”は、透明のたとえば樹脂の一体成形によって形成されたものとなっている。透光性部材３０”は、ほぼ円柱状をなし、その中心軸が図中ｚ軸方向に位置づけられるようにして、第１基板２１Ａに配置されるようになっている。
【００５５】
透光性部材３０”は、その側面に第１基板２１Ａ側の底部から頂部の近傍にかけて抉り部５１が設けられている。抉り部５１は、透光性部材３０”の側面の周方向に沿ってたとえば６個（符号５１ａ、５１ｂ、５１ｃ、５１ｄ、５１ｅ、５１ｆで示す）並設されて形成されている。各抉り部５１ａ、５１ｂ、５１ｃ、５１ｄ、５１ｅ、５１ｆは、透光性部材３０”の頂部側において、それぞれ、第１基板側にたとえば凹面となる半ドーム状の天井部５２ａ、５２ｂ、５２ｃ、５２ｄ、５２ｅ、５２ｆが備えられているとともに、隣接する他の抉り部との区画を図る区画壁５３ａ、５３ｂ、５３ｃ、５３ｄ、５３ｅ、５３ｆを有するように形成されている。そして、天井部５２ａ、５２ｂ、５２ｃ、５２ｄ、５２ｅ、には、たとえば金属メッキ、蒸着等によって光反射処理が施されている。
【００５６】
第１基板２１Ａに搭載された複数の発光ダイオード４０は、透光性部材３０”の対応する抉り部５１内に収納させるように配置され、各発光ダイオード４０からの大部分の光は天井部５２側に指向されて照射され、該天井部５２で反射されて透光性部材３０”の外方に照射されるようになっている。
【００５７】
この場合においても、前記区画壁５３は透明な材料で構成されているため、各発光ダイオード４０からの光は、該区画壁５３を通して、隣接する他の発光ダイオード４０の配置領域にまで至るようになる。そして、発光ダイオード４０からの光の一部は、区画壁５３に反射（たとえば全反射等）されたりして複雑な光路を形成するようになる。したがって、遊技者は、発光ダイオード４０のそれぞれの近傍をより明るく目視でき、しかも、各発光ダイオード４０を中心とした光の広がりを感知でき、たとえば幻想的な照明感を感得することができる。
【００５８】
上述した実施形態では、透光性部材３０、３０’は、正六角形の柱状体で構成したものである。しかし、たとえば正八角形等の他の多角形の柱状体として構成することもできる。本発明の発光装置がパトランプの如く発光態様を呈することができる限り、その角数が限定されることはない。この場合、発光ダイオード４０の数もその角数に応じて設定されるようになる。
【００５９】
上述した実施形態では、透光性部材３０”に形成される抉り部５１は６個で形成されたものとなっている。しかし、この数に限定されることはなく、６個よりも少なくてもあるいは多くてもよい。本発明の発光装置がパトランプの如く発光態様を呈することができる限り、その数が限定されることはない。この場合、発光ダイオード４０の数も抉り部５１の数に応じて設定されるようになる。
【００６０】
上述した実施形態では、発光装置２０の光源として発光ダイオードを用いたものである。しかし、発光ダイオードに限定されることはなく、他の種類の光源であってもよいことはいうまでもない。
【００６１】
上述した実施形態では、遊技機の一例としてパチンコ機を揚げて説明したものである。しかし、パチンコ機に限定されることはなく、たとえばパチスロ機等のように他の遊技機にも適用することができる。
【００６２】
以上の各実施形態に係る発光装置によれば、その透光性部材において、各光源からの光が、天井壁に反射される他に、隣接する他の光源との間に配置される区画壁を通して透過できるようになる。この際、各光源からの光は、その一部が隣接する他の光源の配置領域にまで至り、また、他の一部は前記区画壁に反射（たとえば全反射等）されたりして極めて複雑な光路を形成するようになる。このため、遊技者は、光源のそれぞれの近傍をより明るく目視でき、しかも、各光源を中心とした光の広がりを感知でき、たとえば幻想的な照明感を感得することができるようになる。このため、従来にない光照射の態様を感知できる発光装置を得ることができるようになる。
【００６３】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００６４】
１０……遊技盤、１１……遊技領域、１２……ガイドレール、１２Ａ……外側レール、１２Ｂ……内側レール、１３……アウト口、１４……開口、１５……画像表示装置、１５Ａ……表示面、１６……ステージ、１７……排出口、１８……始動口、１９……大入賞口、２０……発光装置、２１Ａ……第１基板、２１Ｂ……第２基板、２１……基板、２２……突起部、２３……孔、３０、３０’、３０”……透光性部材（複数の多面体）、３１……貫通孔、３２、３２ａ、３２ｂ、３２ｃ、３２ｄ、３２ｅ、３２ｆ……区画壁（外側区画壁）、３３、３３ａ、３３ｂ、３３ｃ、３３ｄ、３３ｅ、３３ｆ……区画壁（内側区画壁）、３４、３４ａ、３４ｂ、３４ｃ、３４ｄ、３４ｅ、３４ｆ……天井壁、３５……光反射膜、３６、３６ａｂ、３６ｂｃ、３６ｃｄ、３６ｄｅ、３６ｅｆ、３６ｆａ……区画壁（横側区画壁）、４０、４０ａ、４０ｂ、４０ｅ、４０ｆ……発光ダイオード、５１、５１ａ、５１ｂ、５１ｃ、５１ｄ、５１ｅ、５１ｆ……抉り部、５２、５２ａ、５２ｂ、５２ｃ、５２ｄ、５２ｅ、５２ｆ……天井部、５３、５３ａ、５３ｂ、５３ｃ、５３ｄ、５３ｅ、５３ｆ……区画壁。
【要約】
【課題】パトランプの如く発光態様を呈するものであって、より趣興を増大させるような光を放出できる発光装置及びそれを備える遊技機を提供する。
【解決手段】擬似的にパトランプの態様で発光する発光装置（２０）であって、基板（２１Ａ）と、基板（２１Ａ）上に円弧状に配置された複数の光源（４０）と、複数の光源（４０）を覆うように設けられた透明性部材（３０）とを備え、透光性部材（３０）が、各光源（４０）を区画する複数の多面体（３０）を有し、複数の多面体のうち少なくとも１つが、光源（４０）が発する光が正面に向けて放出されるように、正面に向かって傾斜する少なくとも１つの傾斜面（３４ａ，３４ｂ，３４ｅ，３４ｆ）を有し、傾斜面が、その外側及び内側の面の少なくとも一方において、光源が発した光を反射するための処理（３５）を施される。
【選択図】図３【図１】
0005482950.tif 000002
【図２】
0005482950.tif 000003
【図３】
0005482950.tif 000004
【図４】
0005482950.tif 000005
【図５】
0005482950.tif 000006
【図６】
0005482950.tif 000007
【図７】
0005482950.tif 000008
【図８】
0005482950.tif 000009
【図９】
0005482950.tif 000010
【図１０】
0005482950.tif 000011
【図１１】
0005482950.tif 000012
【図１２】
0005482950.tif 000013